(57)【要約】【課題】充填剤の漏れが確実に抑止できる構造を、安価に実現することのできる防水コネクタを得る。【解決手段】筒状のアウターハウジング２３と、アウターハウジング２３の後部開口２９から収容される板状のインナーハウジング３１と、インナーハウジング３１に保持される複数の端子とを備え、各端子がインナーハウジング３１の平板部に所定間隔で複数設けられた隔壁間の各区画室内に収容されるとともに、各端子にそれぞれ電線４９が接続され、かつ、アウターハウジング２３における後部開口２９から充填剤が充填されることにより防水処理が施された防水コネクタ２１であって、各区画室の後部に、平板部の後端から立ち上がって電線４９に当接する閉塞壁５３を形成した。【選択図】　　　　図１
2004146259.tif 000002
【特許請求の範囲】
【請求項１】
筒状のアウターハウジングと、前記アウターハウジングの後部開口から収容される板状のインナーハウジングと、前記インナーハウジングに保持される複数の端子とを備え、
前記各端子が前記インナーハウジングの平板部に所定間隔で複数設けられた隔壁間の各区画室内に収容されるとともに、前記各端子にそれぞれ電線が接続され、かつ、前記アウターハウジングにおける前記後部開口から充填剤が充填されることにより防水処理が施された防水コネクタであって、
前記各区画室の後部に、前記平板部の後端から立ち上がって前記電線に当接する閉塞壁が形成されていることを特徴とする防水コネクタ。
【請求項２】
請求項１記載の防水コネクタであって、
前記アウターハウジングの内部上面に、前記アウターハウジングに収容された前記インナーハウジングの前記閉塞壁に対応する位置で突起が形成され、前記突起が前記閉塞壁の当接した電線の反対側に当接することを特徴とする防水コネクタ。
【請求項３】
複数の前記インナーハウジングが多段状に重ねられて前記アウターハウジングに収容される請求項１または２記載の防水コネクタであって、
上段の前記インナーハウジングの下面に、下段の前記インナーハウジングの閉塞壁に対応する位置で凸部が形成され、前記凸部が前記閉塞壁の当接した電線の反対側に当接することを特徴とする防水コネクタ。
【発明の詳細な説明】
【０００１】
【発明の属する技術分野】
本発明は、電線を接続した端子の収容されるインナーハウジングをアウターハウジングに装着し、アウターハウジングの後部開口に充填剤を充填することで、アウターハウジングと電線との隙間を防水シールする防水コネクタに係り、例えば電線近傍の隙間を少なくできる防水コネクタに関する。
【０００２】
【従来の技術】
従来より、コネクタ内に水等が侵入しないように樹脂材を充填する樹脂充填防水コネクタが知られている（特許文献１，特許文献２）。
【０００３】
【特許文献１】
特開平９−１０６８５４号公報
【特許文献２】
特開２００２−９３５１５号公報
【０００４】
上記特許文献１に開示される樹脂充填防水コネクタ１は、図１４に示すように、接触用ばね片３を有する電気接触部５と、電気接触部５に続く電線接続部７とを備える雌端子で、雌端子を収容するコネクタハウジング９の端子収容室１１を塞ぐ箱状の閉塞部１３を電気接触部５と電線接続部７との間に形成して、電気接触部５側への樹脂材の流出を防止している。
【０００５】
上記樹脂充填防水コネクタ１によれば、図１５に示すように、端子収容室１１の後半部に防水用の溶融した樹脂材１９が充填された際に、閉塞部１３が収容室前半部への樹脂材１９の流入を確実に阻止する。
これにより、樹脂充填式の防水コネクタ１において、確実な防水性を得ることができた。
【０００６】
【発明が解決しようとする課題】
しかしながら、上記した従来の樹脂充填式の防水コネクタは、端子に閉塞部を形成しているため、閉塞部の形状精度が板金加工精度に依存し、また、コネクタハウジングと端子とのクリアランスもあることから、コネクタハウジングと閉塞部とに隙間が生じ易く、端子収容室の後半部に防水用の溶融した樹脂材が充填された際に、樹脂材が固化する前に、収容室前半部へ流入する（漏れる）場合があった。
このような漏れが生じると樹脂材の充填量が目減りし、所望の防水性が得られなくなった。
【０００７】
また、閉塞部を端子に設けていたため、端子構造が複雑となり、製造コストが増大した。
さらに、端子収容室における後半部の全体に樹脂材が充填されるため、充填剤の使用量が多くなり、これによっても製造コストが増大した。
【０００８】
本発明は、前述した問題点に鑑みてなされたものであり、その目的は充填剤の漏れが確実に抑止できる構造を、安価に実現することのできる防水コネクタを提供することにある。
【０００９】
【課題を解決するための手段】
前述した目的を達成するために、本発明は、請求項１に記載したように、筒状のアウターハウジングと、前記アウターハウジングの後部開口から収容される板状のインナーハウジングと、前記インナーハウジングに保持される複数の端子とを備え、前記各端子が前記インナーハウジングの平板部に所定間隔で複数設けられた隔壁間の各区画室内に収容されるとともに、前記各端子にそれぞれ電線が接続され、かつ、前記アウターハウジングにおける前記後部開口から充填剤が充填されることにより防水処理が施された防水コネクタであって、前記各区画室の後部に、前記平板部の後端から立ち上がって前記電線に当接する閉塞壁が形成されていることを特徴としている。
【００１０】
ここで、インナーハウジングとしては、樹脂成型品からなり、並設した複数の区画室のうち、所望数の区画室単位で切断して使用可能なカット式のインナーハウジングを例示できる。端子としては圧接刃を備えた圧接端子を例示できる。
【００１１】
このように構成された防水コネクタにおいては、各区画室の後部に、平板部の後端から立ち上がって電線に当接する閉塞壁が形成され、インナーハウジングと電線との隙間が小さくなり、アウターハウジングの後部開口から充填された充填剤の区画室への流入（漏れ）が抑止される。
また、閉塞壁の形成にあっては金型に特別な機構を必要とせず、特に、端子に閉塞部を設ける従来構造に比べて製造コストが安価となる。さらに、区画室の後部に設けた閉塞壁によって充填剤の流入が止められるので、区画室の奥まで充填剤が流入した従来構造に比べ充填剤の使用量が少なくなる。
【００１２】
従って、この防水コネクタにおいては、従来のように、区画室への漏れが生じたり、充填剤の区画室への流入を阻止するために、端子形状が複雑となり、コストが高くなったり、さらには充填剤使用量が増大するという問題を解決できることになる。
【００１３】
また、本発明は、請求項２に記載したように、請求項１記載の防水コネクタであって、前記アウターハウジングの内部上面に、前記アウターハウジングに収容された前記インナーハウジングの前記閉塞壁に対応する位置で突起が形成され、前記突起が前記閉塞壁の当接した電線の反対側に当接することを特徴としている。
【００１４】
このように構成された防水コネクタにおいては、アウターハウジングの内部上面に、アウターハウジングに収容されたインナーハウジングの閉塞壁に対応する位置で突起が形成され、この突起が閉塞壁の当接した電線の反対側に当接するので、電線と、アウターハウジングの内部上面との隙間が突起によって小さくなり、充填剤が充填された場合、電線とアウターハウジングとの隙間から充填剤が区画室へ流入する（漏れる）ことを抑止できることになる。
【００１５】
また、本発明は、請求項３に記載したように、複数の前記インナーハウジングが多段状に重ねられて前記アウターハウジングに収容される請求項１または２記載の防水コネクタであって、上段の前記インナーハウジングの下面に、下段の前記インナーハウジングの閉塞壁に対応する位置で凸部が形成され、前記凸部が前記閉塞壁の当接した電線の反対側に当接することを特徴としている。
【００１６】
このように構成された防水コネクタにおいては、上段のインナーハウジングの下面に、下段のインナーハウジングの閉塞壁に対応する位置で凸部が形成され、この凸部が閉塞壁の当接した電線の反対側に当接するので、インナーハウジングを多段状に収容した場合の、電線と、上段のインナーハウジングとの隙間が凸部によって小さくなり、充填剤が充填された場合、電線と上段のインナーハウジングとの隙間から充填剤が区画室へ流入する（漏れる）ことを抑止できることになる。
【００１７】
【発明の実施の形態】
以下、本発明に係る実施形態を図面に基づいて詳細に説明する。
図１は本発明に係る防水コネクタを後方から見た後部開口の正面図、図２は本発明に係る防水コネクタを前方から見た斜視図、図３は図２に示した防水コネクタの分解斜視図、図４は図３に示した端子を収容したインナーハウジングの斜視図、図５は図４に示したインナーハウジングの斜視図、図６は図３に示したアウターハウジングを後方から見た正面図、図７は図６の斜視図、図８は多段状に重ねられたインナーハウジングを後方から見た正面図、図９は図１の斜視図、図１０は充填剤を充填した防水コネクタの後部横断面図である。なお、本明細書においては、説明の都合上、「前」とは、防水コネクタの相手側コネクタ嵌合側を言い、「後」とは、防水コネクタの電線導出側を言うものとする。
【００１８】
図２に示すように、本実施の形態による防水コネクタ２１は、筒状のアウターハウジング２３を有し、アウターハウジング２３は合成樹脂材により成型されている。アウターハウジング２３の前面には、図示しない相手側端子（雄端子）の電気接触部が進入する複数の端子進入穴２５が、横方向に整列し、かつ上下方向に多段状となって開口されている。また、アウターハウジング２３の外部上下面には、相手側コネクタとの嵌合時の挿入力を軽減するためのレバー２７が回動自在に付設されている。
【００１９】
図３に示すように、アウターハウジング２３は、後部が開口しており、この後部開口２９には多段状に重ねられた板状のインナーハウジング３１が複数列挿入されるようになっている。アウターハウジング２３の内部は、多段状となったインナーハウジング３１ごとに、内部空間が仕切壁３３によって仕切られている。
【００２０】
図４に示すように、インナーハウジング３１は、平板部３５の上面に、所定間隔で複数設けられた隔壁３７間に一つの端子３９を収容するための区画室４１が形成されている。
このインナーハウジング３１は、多数の区画室４１を並設して形成され、任意の区画室数を選択し、区画室４１同士の間を切断して、所望の数の区画室４１を有したインナーハウジング３１として使用可能な、所謂カット方式のインナーハウジング３１となっている。
【００２１】
図５に示すように、各区画室４１は、区画室前部４３ａが、端子３９の箱状となった電気接触部を収容する空間となり、区画室後部４３ｂが、端子３９の電線圧接部および電線圧着部を収容する空間となっている。
インナーハウジング３１は、上下方向に分割される金型を使用して樹脂成型されることになる。
【００２２】
区画室後部４３ｂの端子挿入方向に直交する方向の断面形状は、上方が開放した凹部状となっている。
すなわち、凹部底面の左右隅部は、直角の入隅部４５、４５（図１参照）となっている。インナーハウジング３１は、各区画室４１に端子３９が収容され、上方に向けて開口した端子３９の圧接部４７（図４参照）に、上方から電線４９が圧入される。端子３９に圧入された電線４９は、図４に示すように、各区画室後部４３ｂから後方に導出されることとなる。
【００２３】
各区画室後部４３ｂには、図５に示す平板部３５の後端５１から立ち上がって、電線４９に当接する半円凹部状の閉塞壁５３が形成されている。
すなわち、閉塞壁５３は、上端面が電線４９の下部外周に沿う当接面形状となっている。これにより、本来、平板部３５と電線４９との間で開口する、区画室後部４３ｂにおける左右入隅部４５、４５の隙間が、図１に示すように、この閉塞壁５３によって塞がれることとなる。この閉塞壁５３は、インナーハウジング３１が、上下方向の抜型方向となるので、金型構造を複雑にすることなく、容易に成型できる。
【００２４】
図６、図７に示すように、アウターハウジング２３の内部上面５５には、端子挿入方向に延在する突起５７が、それぞれの区画室４１に対応して形成されている。この突起５７は、アウターハウジング２３に挿入されたインナーハウジング３１の、閉塞壁５３に対峙することとなる。
従って、突起５７は、図１に示すように、閉塞壁５３が当接した電線４９の反対側に当接することとなる。
【００２５】
また、アウターハウジング２３の内部には、図７に示すように、挿入されたインナーハウジング３１の各区画室４１の上方に位置して、端子３９および電線４９を保持するための櫛状の保持部５９、仕切板６０が、後方に向けて突設されている。
【００２６】
図８に示すように、電線４９を導出したインナーハウジング３１は、多段状に重ねられて図３に示すようにしてアウターハウジング２３に収容される。インナーハウジング３１の下面には、図５に示した凸部６１が突設され、凸部６１は図８に示すように、下段のインナーハウジング３１の閉塞壁５３に対応する位置で配されている。
従って、この凸部６１は、図１、図８に示すように、下段インナーハウジング３１における閉塞壁５３の当接した電線４９の反対側に当接することとなる。
【００２７】
図９に示すように、多段状となった複数のインナーハウジング３１を収容したアウターハウジング２３の区画室後部４３ｂからは、複数の電線４９が導出される。アウターハウジング２３の後面には、この電線４９群を包囲する枠部６３が突設されている。この枠部６３の内側空間は、電線４９を導出した底面部６４により塞がれる。この底面部６４は、図１に示すように、アウターハウジング２３の突起５７、インナーハウジング３１の閉塞壁５３、凸部６１、および平板部後端面６５（図４参照）が同一平面を形成してなる。
【００２８】
図１０に示すように、充填剤６７は、上記枠部６３の内側に充填されることで、底面部６４から所定の厚みｔで充填されることとなる。
充填剤６７は、固化することにより、枠部６３、底面部６４および電線４９に固着し、その結果、アウターハウジング２３と電線４９との間を防水シールすることとなる。
【００２９】
前述した防水コネクタ２１によれば、各区画室後部４３ｂに、閉塞壁５３が形成され、インナーハウジング３１と電線４９との隙間が小さくなり、アウターハウジング２３の後部開口から充填された充填剤６７の区画室４１への流入（漏れ）が抑止される。また、閉塞壁５３の形成にあっては金型に特別な機構を必要とせず、特に、端子３９に閉塞部を設ける従来構造に比べて製造コストが安価となる。さらに、区画室後部４３ｂに設けた閉塞壁５３によって充填剤６７の流入が止められるので、区画室４１の奥まで充填剤６７が流入した従来構造に比べ充填剤６７の使用量が少なくなる。
【００３０】
また、アウターハウジング２３の内部上面５５に、インナーハウジング３１の閉塞壁５３に対応する位置で突起５７が形成され、この突起５７が閉塞壁５３の当接した電線４９の反対側に当接するので、電線４９と、アウターハウジング２３の内部上面５５との隙間が突起５７によって小さくなり、充填剤６７が充填された場合、電線４９とアウターハウジング２３との隙間から充填剤６７が区画室４１へ流入する（漏れる）ことを抑止できる。
【００３１】
さらに、上段のインナーハウジング３１の下面に、下段のインナーハウジング３１の閉塞壁５３に対応する位置で凸部６１が形成され、この凸部６１が閉塞壁５３の当接した電線４９の反対側に当接するので、インナーハウジング３１を多段状に収容した場合の、電線４９と、上段のインナーハウジング３１との隙間が凸部６１によって小さくなり、充填剤６７が充填された場合、電線４９と上段のインナーハウジング３１との隙間から充填剤６７が区画室４１への流入する（漏れる）ことを抑止できる。
【００３２】
次に、本発明に係る防水コネクタの第２の実施の形態を説明する。
図１１は本発明に係る防水コネクタの第２の実施の形態を、アウターハウジング（ａ）、インナーハウジング（ｂ）で示した分解説明図である。
この実施の形態による防水コネクタは、図１１（ａ）に示すように、アウターハウジング７３の内壁面が平滑面となっている。また、図１１（ｂ）に示すように、多段状に重ねられたインナーハウジング３１には、上下方向に分割した一対の中間ハウジング７５、７７が嵌合されるようになっている。
【００３３】
上方の中間ハウジング７５の内部上面７９には、上記した第１の実施の形態で説明した同様の突起５７が形成されている。
また、下方の中間ハウジング７７の底面には、最下段のインナーハウジング３１の下面に嵌合する凹凸部７９が形成されている。
【００３４】
従って、多段状に重ねられたインナーハウジング３１に、上下方向から中間ハウジング７５、７７が組み付けられることで、突起５７と電線４９とが当接するとともに、インナーハウジング３１の下面に凹凸部７９が嵌合して、中間ハウジング７５、７７とインナーハウジング３１との間には隙間が生じないようになっている。
【００３５】
この防水コネクタによれば、中間ハウジング７５、７７で挟んだインナーハウジング３１を、中間ハウジング７５、７７ごとアウターハウジング２３の内部に装着するので、上記の防水コネクタ２１と同様の効果が得られるのに加え、外周に凹凸が突出するインナーハウジング３１の外周面が、中間ハウジング７５、７７によって覆われることで平滑面となり、アウターハウジング７３への装着力を低減できる。
【００３６】
次に、本発明に係る防水コネクタの第３の実施の形態を説明する。
図１２は本発明に係る防水コネクタの第３の実施の形態を、アウターハウジング（ａ）、インナーハウジング（ｂ）で示した分解説明図、図１３は図１２に示したスペーサの斜視図である。
この実施の形態による防水コネクタは、アウターハウジング８３の内部上面８５に、第１の実施の形態で説明した同様の突起５７を形成している。一方、多段状に重ねられたインナーハウジング３１の下面には、スペーサ８７が嵌合されるようになっている。
【００３７】
スペーサ８７は、図１３に示すように、インナーハウジング３１の下面に嵌合する上記同様の凹凸部７９が、上面に形成される一方、下面が平滑面となっている。また、先端側は、挿入が容易となるように、徐々に薄厚となるテーパ部８９となっている。
【００３８】
この防水コネクタによれば、最上段のインナーハウジング３１の電線４９と、アウターハウジング８３との間が突起５７により塞がれ、、かつ、最下段のインナーハウジング３１の下面にスペーサ８７が嵌合されることにより、上記の防水コネクタ２１と同様の効果が得られるのに加え、アウターハウジング８３への装着が容易となる。
また、この防水コネクタは、上記した第２の実施形態の防水コネクタより部品点数を少なくできる。
【００３９】
なお、図１１、図１２に示した防水コネクタは、アウターハウジング７３、８３の内部に、図６に示した保持部５９、仕切板６０を図示していないが、同様に保持部５９、仕切板６０を設けるものであっても勿論よい。
【００４０】
なお、本発明の防水コネクタは、前述した各実施形態に限定されるものでなく、適宜な変形、改良等が可能である。
例えば、前述した各実施形態では、端子３９が圧接端子である場合を例に説明したが、端子３９は、圧着端子であってもよい。
【００４１】
その他、前述した各実施形態において例示した突起５７、閉塞壁５３、凸部６１等の部材、形状、数、配置箇所等は本発明を達成できるものであれば任意であり、限定されない。
【００４２】
【発明の効果】
以上、説明したように、本発明によれば、請求項１に記載したように、各区画室の後部に、平板部の後端から立ち上がって電線に当接する閉塞壁が形成されているので、インナーハウジングと電線との隙間が小さくなり、アウターハウジングの後部開口から充填剤が充填された場合、充填剤の区画室への流入（漏れ）を抑止できる。また、閉塞壁の形成にあっては金型に特別な機構を必要とせず、特に、端子に閉塞部を設ける従来構造に比べて製造コストを安価にできる。さらに、区画室の後部に設けた閉塞壁で充填剤の流入を止めることができるので、区画室の奥まで充填剤が流入した従来構造に比べ充填剤の使用量が少なくなり、これによっても製造コストを安価にできる。
【００４３】
また、本発明によれば、請求項２に記載したように、アウターハウジングの内部上面に、アウターハウジングに収容されたインナーハウジングの閉塞壁に対応する位置で突起が形成され、この突起が閉塞壁の当接した電線の反対側に当接するので、電線と、アウターハウジングの内部上面との隙間が突起によって小さくなり、充填剤が充填された場合、電線とアウターハウジングとの隙間から充填剤が区画室への流入する（漏れる）ことを抑止できる。
【００４４】
さらに、本発明によれば、請求項３に記載したように、上段のインナーハウジングの下面に、下段のインナーハウジングの閉塞壁に対応する位置で凸部が形成され、この凸部が閉塞壁の当接した電線の反対側に当接するので、インナーハウジングを多段状に収容した場合の、電線と、上段のインナーハウジングとの隙間が凸部によって小さくなり、充填剤が充填された場合、電線と上段のインナーハウジングとの隙間から充填剤が区画室への流入する（漏れる）ことを抑止できる。
【図面の簡単な説明】
【図１】本発明に係る防水コネクタを後方から見た後部開口の正面図である。
【図２】本発明に係る防水コネクタを前方から見た斜視図である。
【図３】図２に示した防水コネクタの分解斜視図である。
【図４】図３に示した端子を収容したインナーハウジングの斜視図である。
【図５】図４に示したインナーハウジングの斜視図である。
【図６】図３に示したアウターハウジングを後方から見た正面図である。
【図７】図６の斜視図である。
【図８】多段状に重ねられたインナーハウジングを後方から見た正面図である。
【図９】図１の斜視図である。
【図１０】充填剤を充填した防水コネクタの後部横断面図である。
【図１１】本発明に係る防水コネクタの第２の実施の形態を、アウターハウジング（ａ）、インナーハウジング（ｂ）で示した分解説明図である。
【図１２】本発明に係る防水コネクタの第３の実施の形態を、アウターハウジング（ａ）、インナーハウジング（ｂ）で示した分解説明図である。
【図１３】図１２に示したスペーサの斜視図である。
【図１４】従来の樹脂充填防水コネクタの分解斜視図である。
【図１５】図１４に示した樹脂充填防水コネクタに防水用の樹脂材を充填した状態の縦断面図である。
【符号の説明】
２１　防水コネクタ
２３、７３、８３　アウターハウジング
２９　後部開口
３１　インナーハウジング
３５　平板部
３７　隔壁
３９　端子
４１　区画室
４３ｂ　区画室の後部
４９　電線
５１　平板部の後端
５３　閉塞壁
５５　アウターハウジングの内部上面
５７　突起
６１　凸部
６７　充填剤
【図１】
2004146259.tif 000003
【図２】
2004146259.tif 000004
【図３】
2004146259.tif 000005
【図４】
2004146259.tif 000006
【図５】
2004146259.tif 000007
【図６】
2004146259.tif 000008
【図７】
2004146259.tif 000009
【図８】
2004146259.tif 000010
【図９】
2004146259.tif 000011
【図１０】
2004146259.tif 000012
【図１１】
2004146259.tif 000013
【図１２】
2004146259.tif 000014
【図１３】
2004146259.tif 000015
【図１４】
2004146259.tif 000016
【図１５】
2004146259.tif 000017